(57)【特許請求の範囲】
【請求項１】
複数の鍵を有する鍵盤と、
前記鍵に対応して設けられ、前記鍵の動作に応じて打弦して楽音を発生する打弦機構と、
前記打弦機構を覆うように設けられ、上方が開放した外郭部と、
前記外郭部の内部に配置され、前記打弦により発生した楽音を共鳴させる共鳴板と、
前記外郭部の上方に開閉可能に設けられる大屋根とを備えたグランドピアノにおいて、
前記大屋根は、このグランドピアノの前後方向に複数に分割されており、分割されたそれぞれが前記外郭部の上方に独立して開閉可能に設けられている
ことを特徴とするグランドピアノ。
【請求項２】
前記外郭部の内部に配置され、前記弦を支持する長駒を有しており、
前記大屋根は、２つに分割されており、
その分割線が前記長駒のほぼ中央において略直交しており、かつ前記長駒との直交部分から演奏者側からみたこのグランドピアノの左端までが演奏者側に凸型に湾曲している
ことを特徴とする請求項１に記載のグランドピアノ。
【請求項３】
分割された前記大屋根のそれぞれの、前記外郭部に対する開放角度を任意に調整できるようにした
ことを特徴とする請求項１または２に記載のグランドピアノ。
【請求項４】
分割された前記大屋根のそれぞれを、このグランドピアノの左右両端側で上下動させることを可能とした
ことを特徴とする請求項１ないし３のいずれかに記載のグランドピアノ。
【請求項５】
前記外郭部の上方における前記大屋根の前方側に、前記外郭部に対して開閉可能に設けられるカバー部をさらに具備することを特徴とする請求項１ないし４のいずれかに記載のグランドピアノ。
【発明の詳細な説明】
【０００１】
【発明の属する技術分野】
本発明は、グランドピアノに関する。
【０００２】
【従来の技術】
図１に、一般的なグランドピアノの外観を示す。同図に示すように、一般的なグランドピアノは、鍵盤１を有しており、この鍵盤１の各鍵に動作に応じて弦を打撃するハンマアクション機構が外郭曲練り側板２内部に配置されている。外郭曲練り側板２内部には、共鳴板等が設けられており、これにより打弦により発生した楽音が共鳴するようになっている。外郭曲練り側板２の上部には、外郭曲練り側板２の一端に回動自在に支持された屋根後３が設けられており、屋根後３を回動させることにより、外郭曲練り側板２の上方を開閉することができるようになっている。また、外郭曲練り側板２には、屋根後３を開放状態で支持する突上棒４が設けられている。演奏時には、図示のように屋根後３を開放させることにより、外郭曲練り側板２内部で共鳴した楽音が外部に発散されるようになっている。
【０００３】
一方、演奏を行わない場合には、屋根後３を閉じた状態にするとともに、屋根後３の前方側に回動自在に支持された屋根前５を前方側に回動させて外郭曲練り側板２の前方部を閉じた状態にする。これにより、外郭曲練り側板２の上部が屋根後３および屋根前５によって閉じられ、外郭曲練り側板２内部に埃等が侵入することを防止することができる。また、この状態で演奏を行えば、全体的に発音量を抑制することができる。
【０００４】
【発明が解決しようとする課題】
ところで、上述したようなアコースティックのグランドピアノにおいて楽音の調整等を行う場合には、ハンマアクション機構、弦、共鳴板などの外郭曲練り側板２内部に配置された要素に調整を行う必要があり、調整作業が煩雑であった。従って、演奏する楽曲に応じて、高音域重視や低音域重視といった発生する楽音の調整を行うことは困難であった。
【０００５】
本発明は、上記の事情を考慮してなされたものであり、高音重視や低音重視といった簡易なイコライザ機能を備え、この機能の調整を容易に行うことができるグランドピアノを提供することを目的とする。
【０００６】
【課題を解決するための手段】
上記課題を解決するため、本発明に係るグランドピアノは、複数の鍵を有する鍵盤と、
前記鍵に対応して設けられ、前記鍵の動作に応じて打弦して楽音を発生する打弦機構と、
前記打弦機構を覆うように設けられる外郭部と、
前記外郭部の内部に配置され、前記打弦により発生した楽音を共鳴させる共鳴板と、
前記外郭部の上方に開閉可能に設けられる大屋根とを備えたグランドピアノにおいて、
前記大屋根は、このグランドピアノの前後方向に複数に分割されており、分割されたそれぞれが前記外郭部の上方に独立して開閉可能に設けられていることを特徴としている。
【０００７】
また、請求項２に記載のグランドピアノは、請求項１に記載のグランドピアノにおいて、
前記外郭部の内部に配置され、前記弦を支持する長駒を有しており、
前記大屋根は、２つに分割されており、
その分割線が前記長駒のほぼ中央において略直交しており、かつ前記長駒との直交部分から演奏者側からみたこのグランドピアノの左端までが演奏者側に凸型に湾曲していることを特徴としている。
【０００８】
また、請求項３に記載のグランドピアノは、請求項１または２に記載のグランドピアノにおいて、
分割された前記大屋根のそれぞれの、前記外郭部に対する開放角度を任意に調整できるようにしたことを特徴としている。
【０００９】
また、請求項４に記載のグランドピアノは、請求項１ないし３のいずれかに記載のグランドピアノにおいて、
分割された前記大屋根のそれぞれを、このグランドピアノの左右両端側で上下動させることを可能としたことを特徴としている。
【００１０】
また、請求項５に記載のグランドピアノは、請求項１ないし４のいずれかに記載のグランドピアノにおいて、
前記外郭部の上方における前記大屋根の前方側に、前記外郭部に開閉可能に設けられるカバー部をさらに具備することを特徴としている。
【００１１】
【発明の実施の形態】
以下、図面を参照して本発明の実施形態について説明する。
Ａ．グランドピアノの構成
まず、図２は本発明の一実施形態に係るグランドピアノの鍵盤付近を示す側断面図である。本実施形態に係るグランドピアノのアクション機構や共鳴機構などは、従来の一般的なグランドピアノのアクション機構や共鳴機構と同様であるため、主要部のみ説明し、異なる箇所については詳述する。
【００１２】
図２に示すように、棚板２３１の上方には、筬２３３が載置されており、筬２３３の上方には、鍵２３４が支持されている。鍵２３４は、筬２３３に突設されたバランスピン２３５を介して回動自在になされており、演奏者が図における左側である前端部を押し下げて演奏するようになっている。このような鍵２３４が図の紙面垂直方向である左右方向に並設され、鍵盤２２１が構成されている。
【００１３】
筬２３３の上方には、鍵２３４と同数のハンマアクション機構２３６が併設されており、鍵２３４が回動すると、ハンマアクション機構２３６が作動し、そのハンマ２３７が図示せぬ弦を打弦して楽音を発生させるようになっている。
【００１４】
このハンマアクション機構２３６の奥側には、弦を押さえるダンパー機構２３８が設けられている。符号２３９は、鍵盤の全長に亘って延在するダンパレールである。このダンパレール２３９には、ダンパーレバーフレンジ２４０を介して、前後方向に延びるダンパーレバー２４１の一端が回動自在にピン結合されている。ダンパーレバー２４１の自由端部である前端部には、ダンパブロック２４２が回動自在に取り付けられ、このダンパブロック２４２には、上方に延びるダンパワイヤ２４３が取り付けられている。
【００１５】
このダンパワイヤ２４３の上方に、弦を上から押さえる図示せぬダンパが取り付けられている。ハンマアクション機構２３６によれば、回動された鍵２３４の後端部によりダンパーレバーフレンジ２４０が突き上げられ、ハンマ２３７が弦を打撃する直前に、ダンパが弦から上に離れるようになっている。これにより、押下されていない鍵２３４に対応する弦の共振が防がれる。
【００１６】
ここで、図３〜図６は、本実施形態に係るグランドピアノの外観を示す。これらの図に示すように、このグランドピアノは、上述したハンマアクション機構２３６やハンマアクション機構２３６等が内部に配置される外郭曲練り側板（外郭部）２０を有している。外郭曲練り側板２０内部には、上述した各機構に加え、弦を張設する駒や、この駒を支持する共鳴板等（図示せぬ）が配置されており、これにより鍵２３４の押下操作により発生する楽音を共鳴させることができる。なお、これらの共鳴機構は、従来のグランドピアノと同様である。
【００１７】
外郭曲練り側板２０の一端部２０ａには、屋根後前部２１および屋根後後部２２が回動自在に支持されている。つまり、屋根後前部２１および屋根後後部２２を回動させることにより、外郭曲練り側板２０の上部を開閉することができるようになっている。屋根後前部２１および屋根後後部２２は、通常のグランドピアノに設けられる屋根後をこのピアノの前後方向に分割した形状のものであり、それぞれ外郭曲練り側板２０に対して独立して回動させることができるようになっている。また、屋根後前部２１および屋根後後部２２に対して、それぞれを開放状態で支持するための突上棒２３，２４が設けられている。従って、屋根後前部２１および屋根後後部２２の両者を開放させたり、いずれか一方を選択的に開放させたりすることが可能となっている。なお、図４においては、本実施形態の特徴点である屋根後前部２１および屋根後後部２２を明示するために、譜面立てを省略している。
【００１８】
また、外郭曲練り側板２０の前方側には、前部カバー２５が設けられている。前部カバー２５は、外郭曲練り側板２０の開放した上部における屋根後前部２１よりも前方側を覆うように設けられており、外郭曲練り側板２０の左右両端に支持された軸２６によって回動自在（図５中矢印方向）になされている。ここで、図７に示すように、このグランドピアノでは、前框２５１が通常のグランドピアノよりも高い位置まで形成されており、閉止時には、この前框２５１の上部にクッション材２５２を介して前部カバー２５の前端が配置されるようになっている。なお、図８に示すように、通常のグランドピアノと同様の高さを有する前框２５１を用い、断面が湾曲した形状の前部カバーを用いるようにしてもよい。このように、前部カバー２５は、外郭曲練り側板２０の開放した上部を覆うことができるので、埃などの外郭曲練り側板２０内部への侵入を防止することができる。一方、メンテナンス時等には、前部カバー２５を回動させるといった簡単な操作で開放状態とすることができる。通常のグランドピアノでは、本実施形態の前部カバー２５の機能を屋根後に回動自在に設けられた屋根前が行っていたが、本実施形態では、屋根後とは別に設けられる前部カバー２５を採用することによって、屋根後前部２１の軽量化を可能とし、演奏者による屋根後前部２１の開閉動作を容易にしている。また、従来のグランドピアノでは、演奏時には、その構造上屋根前は開放した状態となっているが、このグランドピアノでは、演奏時にも前部カバー２５を閉じることができ、その下方に配置されるアクション機構にほこりなどが侵入することを低減できる。また、前部カバー２５は演奏時にも閉じることができるので、メトロノームなどのものを載置しておくこともできる。また、従来のグランドピアノでは、屋根前と、譜面立てを支持するための譜面台を別に設ける必要があったが、このグランドピアノでは、この前部カバー２５が譜面立て２５３を支持することができるので、部品数を削減することができる。
【００１９】
Ｂ．グランドピアノの演奏モード
上記構成のグランドピアノによれば、屋根後前部２１および屋根後後部２２の開閉状態を選択することにより、高音域を重視した楽音発生を行う高音モード、低音域を重視した楽音発生を行う低音モード、および通常のグランドピアノと同様の楽音発生を行う通常モードといった３つのモードで演奏を行うことができる。
【００２０】
まず、通常演奏モードで演奏を行う場合には、屋根後前部２１および屋根後後部２２の両者を開放状態にする（図３〜６参照）。このような状態では、通常の１枚の屋根後を有するグランドピアノと同様に、外郭曲練り側板２０の上方が開放した状態となるため、通常のグランドピアノと同様に全音域にわたって十分な音量の楽音を発生することができる。
【００２１】
次に、高音モードで演奏を行う場合には、屋根後前部２１のみを開放し、屋根後後部２２を閉じた状態にする。このようにすれば、低音域の楽音がでにくくなり、高音域の楽音が低音域よりも強調して発音されることになる。本実施形態では、図９に示すように、屋根後前部２１と屋根後後部２２の分割線は、長駒７１のほぼ中央において長駒７１と略直交しており、かつ長駒７１との直交部分からこのグランドピアノの左端までが演奏者側に凸型に湾曲している。従って、屋根後前部２１を開放し、屋根後後部２２を閉じた状態にすると、屋根後後部２２によって斜線部分である短駒７０や長駒７１の低音側（特に低音弦の振幅の腹となる部分）の上方（図の紙面手前側）が閉じられることになり、低音側と比較して高音側の音がでやすくなるからである。
【００２２】
次に、低音モードで演奏を行う場合には、屋根後前部２１を閉じ、屋根後後部２２のみを開放させる。このようにすれば、高音域の音がでにくくなり、低音域の楽音が高音域よりも強調して発音されることになる。これは、図１０に示すように、屋根後前部２１を閉じて、屋根後後部２２のみを開放させると、屋根後前部２１によって斜線部分である長駒７１の高音側の上方が閉じられることになり、高音側と比較して低音側の音がでやすくなるからである。
【００２３】
本実施形態に係るグランドピアノでは、屋根後前部２１および屋根後後部２２の開閉状態を選択するといった簡易な操作で、高音重視や低音重視といった簡単なイコライザ機能を実現することができる。もちろん、このグランドピアノを構成するハンマアクション機構２３６などの楽音発生機構は、通常のアコースティックグランドピアノと全く同様であるため、屋根後前部２１および屋根後後部２２の両者を開放すれば、通常のグランドピアノと全く同様の発音を行うことができる。
【００２４】
また、本実施形態では、図４に示すように、屋根後前部２１と屋根後後部２２の開放角度が異なっており、屋根後前部２１の開放角度が大きくなるように突上棒２３、２４の長さが設定されている。これは、高音は低音と比較して指向性が強いため、高音は上方にある屋根後に反射して筐体内部に戻ってしまい拡散が抑制されてしまうからである。この点を考慮し、本実施形態では、高音側の上方を覆う屋根後前部２１の開放角度を低音側を覆う屋根後後部２２よりも大きくして高音の拡散性を向上させ、低音と高音のバランスをとっている。
なお、ここで、突上棒２３，２４として長さを調整できるものを使用し、使用者が好みなどに応じて屋根後前部２１や屋根後後部２２の開放角度を任意に調整できるようにしてもよい。
【００２５】
また、本実施形態に係るグランドピアノは、従来の１つの屋根後に代えて、屋根後前部２１と屋根後後部２２を設ければよいだけであるので、通常の屋根後を有するグランドピアノに後から取り替えることも容易である。
【００２６】
なお、上述したグランドピアノでは、屋根後を屋根後前部２１と屋根後後部２２といったように２分割するようになっていたが、このグランドピアノの前後方向に３つ以上分割させるようにしてもよい。この場合には、分割した大屋根に対応して突上棒を設ければ、演奏者は分割された大屋根の開閉を選択することにより、より細かな音域の調整を行うことができる。
【００２７】
また、上述した実施形態においては、屋根後前部２１および屋根後後部２２は、このグランドピアノの左端側を固定端として回動自在になされていたが、これに限らず、図１１に示すように、屋根後前部２１および屋根後後部２２の両端をそれぞれ上下動可能にして、その開放状態を設定できるようにしてもよい。この場合、図示のように一端が外郭曲練り側板２０に支持された上下方向に伸縮自在の支持棒１１０をグランドピアノの両端にそれぞれ設け、この支持棒１１０の長さを調整することにより、屋根後前部２１および屋根後後部２２の開放状態を調整するようにすればよい。これにより、より細かい開放状態の調整が可能となり、外部への音の放射をより細かに調整できる。なお、図示では、屋根後前部２１および屋根後後部２２を鍵盤とほぼ平行状態で支持するようになっているが、これに限らず、屋根後前部２１および屋根後後部２２を鍵盤に対して傾斜させた状態で支持するようにしてもよい。
【００２８】
【発明の効果】
以上説明したように、本発明によれば、アコースティックのグランドピアノにおいて、高音重視や低音重視といった簡易なイコライザ機能を備え、この機能の調整を容易に行うことができる。
【図面の簡単な説明】
【図１】  一般的なグランドピアノの外観を示す斜視図である。
【図２】  本発明の一実施形態に係るグランドピアノのアクション機構の構成を示す側断面図である。
【図３】  前記実施形態に係るグランドピアノの外観を示す斜視図である。
【図４】  前記実施形態に係るグランドピアノの外観を示す正面図である。
【図５】  前記実施形態に係るグランドピアノの外観を示す側面図である。
【図６】  前記実施形態に係るグランドピアノの外観を示す平面図である。
【図７】  前記実施形態に係るグランドピアノの構成要素である前部カバーを説明するための図である。
【図８】  前記実施形態に係るグランドピアノの前記前部カバーの他の例を説明するための図である。
【図９】  高音演奏モード時の、前記実施形態に係るグランドピアノの動作を説明するための図である。
【図１０】  低音演奏モード時の、前記実施形態に係るグランドピアノの動作を説明するための図である。
【図１１】  前記実施形態のグランドピアノの変形例の外観を示す正面図である。
【符号の説明】
２０……外郭曲練り板（外郭部）、２１……屋根後前部、２２……屋根後後部、２３……突上棒、２４……突上棒、２５……前部カバー、２２１……鍵盤、２３６……ハンマアクション機構、２３８……ダンパー機構
【図１】
0003832155.tif 000002
【図２】
0003832155.tif 000003
【図３】
0003832155.tif 000004
【図４】
0003832155.tif 000005
【図５】
0003832155.tif 000006
【図６】
0003832155.tif 000007
【図７】
0003832155.tif 000008
【図８】
0003832155.tif 000009
【図９】
0003832155.tif 000010
【図１０】
0003832155.tif 000011
【図１１】
0003832155.tif 000012